(57)【要約】【課題】本発明はＳＲＴＳ方式を用いてソースクロック再生を行うＡＴＭ網における受信側のクロック再生用ＰＬＬ引込み時間短縮方法及び装置に関し，公称周波数で自走している自走ＲＴＳ値から受信ＲＴＳ値に切り替えを行った時に固定ビット速度信号周波数のゆらぎを抑制することを目的とする。【解決手段】公称周波数で自走している自走ＲＴＳ値から受信ＲＴＳ値に切り替えを行う時，受信ＲＴＳ値がセル遅延のゆらぎ吸収バッファに蓄積されている間に，受信ＲＴＳ値の差分周期のサイクルを検出することにより，再生される固定ビット速度信号周波数を大まかに予測し，自走ＲＴＳ値によって生成されている自走の固定ビット速度信号周波数を予測した受信周波数に予め変化させておくよう構成する。【選択図】      図１
2004253854.tif 000002
【特許請求の範囲】
【請求項１】
ＳＲＴＳ方式を用いてソースクロック再生を行うＡＴＭ網における受信側のクロック再生用ＰＬＬ引込み時間短縮方法において，
公称周波数で自走している自走ＲＴＳ値から受信ＲＴＳ値に切り替えを行う時，受信ＲＴＳ値がセル遅延ゆらぎ吸収バッファに蓄積されている間に，受信ＲＴＳ値の差分周期のサイクルを検出することにより，再生される固定ビット速度信号周波数を予測し，自走ＲＴＳ値によって生成されている自走の固定ビット速度信号周波数を予測した受信周波数に予め変化させておくことで自走ＲＴＳから受信ＲＴＳ切り替え時の固定ビット速度信号周波数のゆらぎを抑制することを特徴とするＳＲＴＳクロック再生用ＰＬＬ引込み時間短縮方法。
【請求項２】
ＳＲＴＳ方式を用いてソースクロック再生を行うＡＴＭ網における受信側のクロック再生用ＰＬＬ引込み時間短縮装置において，
ＡＴＭ伝送網の網クロックから生成した自走ＲＴＳ値と，受信ＡＴＭセルから抽出してセル遅延ゆらぎ吸収バッファを介して出力された受信ＲＴＳ値とが入力される選択部と，該選択部で選択されたＲＴＳ値を用いて駆動されるＰＬＬを備え，
前記受信ＡＴＭセルのデセル化信号が前記セル遅延ゆらぎ吸収バッファへ入力するのと同時に受信ＲＴＳ値を受け取ってＲＴＳ値が増加（減少）するまでの周期を網クロックを用いて検出するＲＴＳ差分周期検出部と，
前記ＲＴＳ差分周期検出部で検出した結果を入力として前記受信ＡＴＭセルの元の固定ビット速度（ＣＢＲ）信号の予測周波数を発生するＣＢＲ信号周波数予測部と，
前記ＣＢＲ信号周波数予測部で予測した結果を入力として，予測した固定ビット速度信号周波数発生のためのパラメータを作成する自走作成パラメータ計算部と，
前記自走作成パラメータ計算部の出力により固定ビット速度信号周波数を生成して，上記自走ＲＴＳ値を生成する自走ＲＴＳ値生成部とを備えたことを特徴とするＳＲＴＳクロック再生用ＰＬＬ引込み時間短縮装置。
【請求項３】
請求項２において，
前記ＲＴＳ差分周期検出部は，ＲＴＳ値を識別してＲＴＳ値が増加するまでのＲＴＳ値の受信回数を計数し，該計数値をＲＴＳ差分周期として出力するＲＴＳ値カウンタを備え，
前記固定ビット速度信号周波数予測部は，ＲＴＳ値の各計数値に対応した固定ビット速度信号周波数偏差の値を格納したテーブルを備え，前記ＲＴＳ値カウンタからの計数値から対応する固定ビット速度信号周波数偏差を求めることを特徴とするＳＲＴＳクロック再生用ＰＬＬ引込み時間短縮装置。
【請求項４】
請求項２において，
前記ＲＴＳ差分周期検出部は，予め設定した時間内にＲＴＳ値が増加する差分周期の受信回数を計数し，該計数値を差分周期の受信回数として出力する差分周期として出力する差分周期カウンタを備え，
前記固定ビット速度信号周波数予測部は，設定時間内の差分周期の各計数値に対応した固定ビット速度信号周波数偏差の値を格納したテーブルを備え，前記差分周期カウンタからの計数値から対応する固定ビット速度信号周波数偏差を求めることを特徴とするＳＲＴＳクロック再生用ＰＬＬ引込み時間短縮装置。
【発明の詳細な説明】
【０００１】
【発明の属する技術分野】
本発明はＳＲＴＳ方式を用いてソースクロック再生を行うＡＴＭ（Ａｓｙｎｃｈｒｏｎｏｕｓ  Ｔｒａｎｓｆｅｒ  Ｍｏｄｅ：非同期転送モード）  網における受信側のクロック再生用ＰＬＬ引込み時間短縮方法及び装置に関する。
【０００２】
ＡＴＭの伝送網では音声，固定速度ビデオ等のＣＢＲ（Ｃｏｎｓｔａｎｔ  Ｂｉｔ  Ｒａｔｅ  ：  固定ビット速度）信号をＡＴＭセルにより伝送する場合，ＡＡＬ（ＡＴＭ  Ａｄａｐｔａｔｉｏｎ  Ｌａｙｅｒ  ｔｙｐｅ−１）機能として受信側でのソースクロックを再生する手段としてＳＲＴＳ（Ｓｙｎｃｈｒｏｎｏｕｓ  Ｒｅｓｉｄｕａｌ  Ｔｉｍｅ  Ｓｔａｍｐ）方式がＩＴＵ−Ｔ（国際電気通信連合）により勧告されている。ところが，ＲＴＳ（Ｒｅｓｉｄｕａｌ  Ｔｉｍｅ  Ｓｔａｍｐ）  値が受信側に到着するまでの間は，自走ＲＴＳ値を用いて公称周波数を生成して，ＲＴＳ値を受信すると，受信ＲＴＳ値を用いるよう切替えるが，その際に周波数のゆらぎが大きいと，ＰＬＬの引き込みに時間がかかる点で安定した受信ができない。
【０００３】
【従来の技術】
自走ＲＴＳ値によって公称周波数（ＣＢＲ信号周波数±０ｐｐｍ：ｐｐｍはパート・パー・ミリオンで，１００万分率を意味する）が生成されることとなり，ＲＴＳ値が到着したら自走ＲＴＳ値から受信ＲＴＳ値に切替える。このＲＴＳ値を用いて，送信側の固定ビット速度信号（音声や，映像信号等のＣＢＲ信号）をＡＴＭセルにより伝送する場合に，受信側で元の固定ビット速度信号（ＣＢＲ）を元の周波数で復元するための技術としてＳＲＴＳ方式が採用されており，この技術はＩＴＵ−ＴＩ．３６３．１により勧告され，従来公知であり（例えば，特開平７−２６４２１４号公報等），以下に概説する。
【０００４】
固定ビット速度信号及びＳＲＴＳ方式について概説すると，一定のスピードでユーザデータを送るサービス（ＣＢＲサービス）があり，このサービスでは受信側は受信ＡＴＭセルからユーザデータを分離した後，そのユーザデータを送信側クロックと同一タイミング（同一周波数，同一位相）で出力（ソースクロックを再生）する必要がある。ところが，送信側の固定ビット速度信号のクロック（ユーザクロック）の周波数が受信側のクロックの周波数と一致しない場合がある。このような場合，受信側で網（ネットワーク）のクロックを分周して既知の送信側のクロックの周波数を生成するが，受信側クロックと送信側クロックとの間にタイミング的な誤差が生じ，忠実なＣＢＲサービスを行えない。
【０００５】
そのため，ＡＴＭセルのＡＡＬ−１（ＡＴＭ  Ａｄａｐｔａｔｉｏｎ  Ｌａｙｅｒ−１）  のＣＳ（Ｃｏｎｖｅｒｇｅｎｃｅ  Ｓｕｂｌａｙｅｒ）  機能によりタイミング情報を伝送するようにしている。
【０００６】
図１０はＡＡＬ−１のＡＴＭセルのフォーマットの説明図である。ＡＡＬ−１のＡＴＭセルは５バイト長のＡＴＭヘッダの後に，１バイト長のＳＡＲ（Ｓｅｇｍｅｎｔａｉｏｎ  Ａｎｄ  Ｒｅａｓｓｅｍｂｌｙ）  −ＰＤＵ（Ｐｒｏｔｏｃｏｌ  Ｄａｔａ  Ｕｎｉｔ）  ヘッダとユーザデータを転送するための４７バイト長のＳＡＲ−ＰＤＵペイロードとが配置されている。１バイトのＳＡＲ−ＰＤＵヘッダは，４ビットのＳＮ（Ｓｅｑｕｅｎｃｅ  Ｎｕｍｂｅｒ：シーケンス番号）  フィールドと４ビットのＳＮＰ（Ｓｅｑｕｅｎｃｅ  Ｎｕｍｂｅｒ  Ｐｒｏｔｅｃｔｉｏｎ）  フィールドとで構成される。ＳＮフィールドは１ビットのＣＳＩ（Ｃｏｎｖｅｒｇｅｎｃｅ  Ｓｕｂｌａｙｅｒ  Ｉｄｅｎｔｉｆｉｅｒ）と３ビットで構成するＳＣ（Ｓｅｑｕｅｎｃｅ  Ｃｏｕｎｔ：シーケンスカンウト）  の２つに分割され，ＳＮＰフィールドは３ビットで構成するＣＲＣ（Ｃｙｃｌｉｃ  Ｒｅｄｕｎｄａｎｃｙ  Ｃｈｅｃｋ）と１ビットのＥＰＢ（Ｅｖｅｎ  Ｐａｒｉｔｙ  Ｂｉｔ：偶数パリティビット）  の２つに分割される。ＳＮ（シーケンス番号）フィールドのＳＣはＡＴＭセルのシーケンス番号を０〜７の順に循環するカウント値を表し，これによりセルの順番をチェックする。ＳＮＰフィールドはＣＲＣとＥＰＢ（偶数パリティビット）によりＳＮ（シーケンス番号）フィールドのエラー検証と訂正を行う機能を備える。
【０００７】
ＣＳＩビットはＳＲＴＳ法によるユーザクロックのタイミング情報の伝送と再生に使用する。すなわち，ユーザクロックのタイミング情報はＲＴＳ（Ｒｅｓｉｄｕａｌ  Ｔｉｍｅ  Ｓｔａｍｐ）と呼ぶ４ビット情報（ＲＴＳ４，ＲＴＳ３，ＲＴＳ２，ＲＴＳ１）により構成される。すなわち，ユーザクロックをカウントして所定ビット数に達した時の下位４ビットのカウント値をＲＴＳ情報として使用する。このＲＴＳ情報はＡＡＬ−１のＣＳ機能であるＣＳＩビットを用いて転送される。
【０００８】
図１１はＲＴＳ情報フォーマットの説明図である。ＲＴＳ情報はＡＴＭセルの８セルのマルチフレーム構成をとり，ユーザデータは４７バイトのＳＡＲ−ＰＤＵペイロードで転送されるので，８セル分の中のユーザデータのビット数は３００８（８セル×４７バイト×８ビット）である。ＣＳＩビットはＳＣ値の０〜７に対応して，８ビット構成となっており，ＳＣ値＝１，３，５，７の奇数値の時のＣＳＩ値（各１ビット）により上記の４ビットのＲＴＳ情報（ＲＴＳ４，ＲＴＳ３，ＲＴＳ２，ＲＴＳ１）が伝送される。
【０００９】
図１２はＲＴＳ情報の生成周期の説明図である。固定ビット速度信号を送信する場合，送信ユーザデータＤｕ  は固定速度のデータで，そのデータに同期するクロックを送信ユーザクロックＣｕ  とする。ＡＴＭセルではこの送信ユーザデータＤｕ  の情報をＳＡＲ−ＰＤＵペイロードで送信し，送信ユーザクロックＣｕ  のタイミング情報であるＲＴＳ情報をＣＳＩビットで送信する。送信ユーザクロック（サービスクロックともいう）の周波数をｆｓ  ，ユーザデータ１ビット分の時間をＴｕ  ＝１／ｆｓ  とすると，ＲＴＳ情報の生成周期はＴｔＳ＝Ｔｕ  ×３００８である。ＲＴＳデータの生成のためのクロックを送信ＲＴＳサンプリングタイミングクロックＣｔＳとすると，ＲＴＳ情報はこのクロックＣｔＳの立上りで生成され，この送信ＲＴＳサンプリングタイミングクロックＣｔＳは送信クロックＣｓ  を１／３００８に分周したものである。
【００１０】
ＳＲＴＳ方式では，網側の回線タイミングに同期したネットワーククロック周波数ｆｎ  をＸ分周してネットワーク分周クロックＣＮＸ（分周周波数ｆｎｘ＝ｆｎ  ／Ｘ）を生成する。Ｘの値はネットワーククロックの分周周波数ｆｎｘとユーザクロック周波数の公称値（Ｎｏｍｉｎａｌ  ｖａｌｕｅ）ｆＮＯＭ  の比が，１≦ｆｎｘ／ｆＮＯＭ  ＜２の範囲になるようにＸを決める。ここで，Ｘ＝２Ｎ  （Ｎは整数）とすると，ネットワーク分周クロックを４ビットバイナリカウンタで分周し，ｆｎｘ／２０  ，ｆｎｘ／２１  ，ｆｎｘ／２２  ，ｆｎｘ／２３  の周波数のネットワークタイミング情報Ｑ１  ，Ｑ２  ，Ｑ３  ，Ｑ４  を生成し，このＱ１  ，Ｑ２  ，Ｑ３  ，Ｑ４  を送信ＲＴＳサンプリングクロックＣｔＳの立上りでサンプリングした値がそれぞれＲＴＳ情報のＲＴＳ１，ＲＴＳ２，ＲＴＳ３，ＲＴＳ４  となる。
【００１１】
図１３は従来のＣＢＲ信号を伝送するＡＴＭ伝送装置を示し（特許文献１参照）。図中，８０〜８２はＡＴＭセルの送信側を構成し，８０は３００８分周部，８１はＲＴＳ作成部，８２はＡＴＭ網の送信側の機構であるセル化部，８３はＡＴＭ網の受信側の機構であるデセル化部，８４はセル遅延ゆらぎ（ＣＤＶ（Ｃｅｌｌ  Ｄｅｌａｙ  Ｖａｒｉａｔｉｏｎ）  吸収バッファ（これをＣＤＶ吸収バッファと呼ぶ），８５は受信セルから抽出した受信ＲＴＳ値を保持する受信ＲＴＳ値保持部，８６は自走ＲＴＳ値生成部，８７は選択部（ＳＥＬで表示），８８は網クロック（図１２に示すネットワーク分周クロックｆｎｘと同じ，以下この用語を用いる）を繰り返しカウント（１６進）する４ビットカウンタ，８９は網クロック（ｆｎｘ）をＣＢＲ信号（固定ビット速度信号）の３００８個分に相当する時間分カウントしてマスク信号を生成するマスクカウンタ，９０は一致検出部，９１はマスク部である。９２〜９５はＣＢＲ信号のクロック周波数を発生するＰＬＬ（Ｐｈａｓｅ  Ｌｏｃｋ  Ｌｏｏｐ：位相ロック・ループ回路）を構成し，９２は位相比較部，９３は位相比較部９２からの出力を平滑化（直流化）するフィルタ，９４はフィルタ９３の出力電圧に対応する周波数の信号を発生する電圧制御水晶発振器（ＶＣＸＯで表示），９５は３００８／ｎ分周部である。
【００１２】
図１３において，送信側では入力する固定ビット速度信号（ＣＢＲ信号）から抽出した信号に同期した周波数ｆｓ  のクロックを３００８分周部８０で分周して，ＲＴＳ値を生成する周期を決定する出力を発生し，ＲＴＳ作成部８１は，ネットワークから抽出して生成された網クロック（ｆｎｘ）を４ビットカウンタでカウントし，３００８分周部８０からの周期で４ビットのカウント値をＲＴＳ値として作成してセル化部８２へ出力する。セル化部８２では，ＣＢＲ信号とＲＴＳ値とを入力してＡＴＭセルを作成し，ＡＴＭ網へ送出する。デセル化部８３はＡＴＭ網からＡＴＭセルを受信すると，セルから元のＣＢＲ信号に戻すデセル化の処理を行う。この時，ＣＤＶ吸収バッファ８４ではＣＤＶ（Ｃｅｌｌ  Ｄｅｌａｙ  Ｖａｒｉａｔｉｏｎ：セル遅延ゆらぎ）  吸収バッファ８４は，ＡＴＭネットワークを経由する間に通過するクロスコネクト装置のバッファ遅延ゆらぎや，セル損失・セル誤配による遅延ゆらぎを吸収するために設けられている。ＡＴＭセルからの受信ＲＴＳ値は選択部８７の一方の入力へ供給される。
【００１３】
また，ＡＴＭセルの受信側ではネットワークから抽出して生成された網クロックｆｎｘを入力して自走ＲＴＳ値生成部８６から自走ＲＴＳ値を生成して選択部８７へ入力する。選択部８７は受信セルからＲＴＳ値が抽出することができると，ＣＤＶ吸収バッファ８４からの出力により受信ＲＴＳ値保持部８５の出力を保持し，受信セルからＲＴＳ値を抽出できないと，自走ＲＴＳ値生成部８６の出力を選択する。
【００１４】
選択されたＲＴＳ値（４ビット）は次に一致検出部９０の一方の入力へ供給され，他方の入力に供給される網から抽出された網クロックｆｎｘをカウントする４ビットカウンタ８８の出力との一致が取られ，ＲＴＳ情報の値と一致したことを一致検出部９０で検出する。マスクカウンタ８９は，ＲＴＳ値生成の周期ＴｔＳ（ｆｓ  のクロックを３００８個カウントした時間）の前後の±８の範囲だけマスクを解除して一致出力を通過可能にし，その他の時間はマスク部９１に対してマスク（禁止）する出力を発生する。
【００１５】
一致検出部９０から出力されたＲＴＳ値はマスク部９１を通ってＰＬＬに供給され，位相比較部９２から入力された比較結果の出力はフィルタ９３で直流成分が抽出されてＶＣＸＯ９４へ入力され，ＶＣＸＯ９４から入力電圧に対応する周波数ｆｓ  （再生ＣＢＲ信号のクロック）が発生し，その周波数信号が３００８／ｎ分周部９５で分周された出力が位相比較部９２にフィードバックされて，再生固定ビット速度信号（ＣＢＲ信号）クロックが制御される。
【００１６】
上記したＩＴＵ−Ｔ  Ｉ．３６３．１  勧告では，送信側で網抽出基準クロックｆｎｘに同期しない信号をＡＴＭセル化して送る場合に，受信側で送信元のＣＢＲ信号クロック周波数ｆｓ  を再生する手段としてＳＲＴＳ方式を勧告しているが，ＲＴＳ値が到着するまでの間は自走ＲＴＳ値によって公称周波数が生成されることになり，ＲＴＳ値が到着したら自走ＲＴＳ値から受信ＲＴＳ値に切り替えられ，再生されるクロックも公称周波数から受信されたＣＢＲ信号周波数へ切り替えられる。また，ＣＢＲ信号が何らかの原因で短時間断になった場合にも自走ＲＴＳ値に切り替えられる。
【００１７】
【特許文献１】
特開２００１−２２３７０５号公報
【００１８】
【発明が解決しようとする課題】
受信される固定ビット速度信号（ＣＢＲ信号）周波数は通常±数十ｐｐｍ以下の偏差を持っているため，自走ＲＴＳ値による公称周波数を発生した状態から受信ＲＴＳ値に切り替えられた時に周波数がゆらぎ，ＰＬＬの引き込みに時間がかかり再生される固定ビット速度信号を即時に安定化できないという問題があった。なお，ＰＬＬの引込み時間が長くなるとＣＤＶ吸収バッファとして大容量のものが必要となり，コストが増大する。
【００１９】
本発明はＳＲＴＳ方式を用いてソースクロックの再生を行うＡＴＭネットワーク装置の受信側において，公称周波数で自走している自走ＲＴＳ値から受信ＲＴＳ値に切り替えを行った時に固定ビット速度信号（ＣＢＲ信号）がセル遅延ゆらぎ（ＣＤＶ）吸収バッファに蓄積されている間にＣＢＲ信号周波数のゆらぎを抑制することができるクロック再生用ＰＬＬ引込み時間短縮方法及び装置を提供することを目的とする。
【００２０】
【課題を解決するための手段】
図１は本発明の原理構成を示す。図中，１０はＡＴＭ網から入力するＡＴＭセルをＲＴＳ値を含むＳＡＲ−ＰＤＵヘッダや固定ビット速度（ＣＢＲ）信号に戻すデセル化部，１１は受信ＲＴＳ値から差分周期を検出するＲＴＳ差分周期検出部である。ここで，「受信ＲＴＳ値の差分周期」とは，送信側でタイムスタンプされた残差（ＣＢＲ信号のクロックを４ビットカウンタでカウントし，ＲＴＳ周期毎のカウント値）が，桁上げされて次のＲＴＳ値に加算される周期を意味する。１２はＣＢＲ（固定ビット速度）信号周波数予測部，１３は自走作成パラメータ計算部，１４はセル遅延ゆらぎ（ＣＤＶ）吸収バッファ，１５は受信ＲＴＳ値保持部，１６は自走ＲＴＳ値生成部，１７は選択部（ＳＥＬで表示）である。
【００２１】
本発明は受信ＲＴＳ値がセル遅延ゆらぎ吸収バッファに蓄積されている間に再生されるＣＢＲ信号（固定ビット速度信号）周波数を計算し，固定ビット速度（ＣＢＲ）信号がセル遅延ゆらぎ吸収バッファから読み出しを開始する前に，あらかじめ再生クロックを公称周波数からＣＢＲ信号周波数へと切り替えておくことでＰＬＬの同期引き込みを助け，切り替え直後から即時にＣＢＲ信号を安定化させるようにしたものである。
【００２２】
ＡＴＭ網からのＡＴＭセルはデセル化部１０で分解され受信ＲＴＳ値及びＣＢＲ信号が出力され，セル遅延ゆらぎ（ＣＤＶ）吸収バッファ１４へ入力されると共に，受信ＲＴＳ値だけはＲＴＳ差分周期検出部１１にも供給される。セル遅延ゆらぎ吸収バッファ１４では，入力された情報が一定時間だけ保存され，出力ａとして固定ビット速度（ＣＢＲ）信号が発生し後段で処理され，出力ｃとしてＲＴＳ値が発生して受信ＲＴＳ値保持部１５に保持される。セル遅延ゆらぎ（ＣＤＶ）吸収バッファ１４の出力ｂとして選択部（ＳＥＬ）１７へ自走／受信ＲＴＳ切り替え指示信号が供給され，ＡＴＭセルがセル遅延ゆらぎ（ＣＤＶ）吸収バッファ１４へ入力された初期の時点（または障害後の立ち上げ時点）では，受信ＲＴＳ値が出力ｃから発生してなく，選択部１７に対し自走ＲＴＳ値生成部１６を選択する信号が発生する。ＣＤＶ吸収バッファから１４から受信ＲＴＳ値が出力される時間までは，自走ＲＴＳ値生成部１６の出力を選択し，受信ＲＴＳ値が出力されると，受信ＲＴＳ値を選択するよう自走／受信ＲＴＳ切り替え指示の出力ｂにより切り替えられる。
【００２３】
ＲＴＳ差分周期検出部１１は，上記したように送信側でタイムスタンプした残差（ＲＴＳ値）が，桁上げ（前回の値より増加）して次のＲＴＳ値に加算される周期を検出する。このＲＴＳ差分周期を検出する具体的な技術は後述する実施例の構成として示す。ＲＴＳ差分周期検出部１１で検出されたＲＴＳ差分周期は，ＣＢＲ信号周波数予測部１２へ入力され，ここでＲＴＳ差分周期からＣＢＲ信号の周波数を予測する。この場合，ＲＴＳ差分周期に対応して予め実際の測定により登録したＣＢＲ信号周波数の値とをテーブルに格納する等の方法により，周波数を予測することができる。ＣＢＲ信号周波数予測部１２で予測した結果が自走作成パラメータ計算部１３に供給されると，予測したＣＢＲ信号周波数を作り出すような自走ＲＴＳ生成のためのパラメータを計算して，自走ＲＴＳ値生成部１６出力する。自走ＲＴＳ値生成部１６では，受け取ったパラメータに対応する自走ＲＴＳ値を生成するが，それまでの自走ＲＴＳ値（以前に設定されていた自走ＲＴＳ値）から急激に新しいパラメータに切り替えないよう，差分周期（前回値との差分が一定値以下）まで待ってから新しいパラメータによるＲＴＳ値に切り替える。ＣＤＶ吸収バッファからの読み出しが開始されると，選択部１７で自走ＲＴＳ値から受信ＲＴＳ値へと切り替えが行われる。この時も差分周期を待ってから切り替えられ，自走ＲＴＳ値は受信ＣＢＲ信号周波数の偏差に合わせた生成が行われているので，切り替えてもＰＬＬに出力される位相パルスは一定となって，安定した再生ＣＢＲ信号クロックを供給することができる。
【００２４】
【発明の実施の形態】
図２は実施例の構成を示す。図中，上記図１と同じ１０〜１７の各符号は同じものを表し説明を省略する。１８は周波数ｆｎｘの網クロックをカウントする４ビットカウンタ，１９は網クロックからＲＴＳ周期に相当する周期のタイミング以外の期間をマスクするマスクカウンタ，２０は４ビットカウンタ１８と選択部１７からの出力との一致を検出する一致検出部，２１はマスク部である。２２は周波数ｆｓ  のＣＢＲ信号クロックを再生するＰＬＬであり，ＰＬＬ２２を構成する２２ａ〜２２ｄの各符号は従来例として示す上記図１３の符号９２〜９５と同じであり，２２ａは位相比較部，２２ｂは平滑用のフィルタ，２２ｃは電圧制御水晶発振器（ＶＣＸＯ），２２ｄは３００８／ｎ分周部である。また，２３〜２５はＡＴＭセルの送信側を構成し，従来例の上記図１３の符号８０〜８２と同じであり，２３は送信元のＣＢＲ信号クロックを３００８分周する３００８分周部，２４は網クロックを４ビットカウンタにより分周して３００８分周部２３の出力によりＲＴＳ値を作成するＲＴＳ作成部，２５はＣＢＲ信号をＡＴＭヘッダ，ＳＡＲ−ＰＤＵヘッダを含むＡＴＭセル化するセル化部である。
【００２５】
上記図２の実施例の構成において，ＲＴＳ差分周期検出部１１及びＣＢＲ信号周波数予測部１２には，２つの方式があり，各方式について以下に説明する。
【００２６】
図３は第１の方式の構成を示す。図中，１１はＲＴＳ差分周期検出部，１１０はＲＴＳ値識別部，１１１はＲＴＳ値カウンタ，１１２は計数値保持部である。
【００２７】
第１の方式では，受信ＲＴＳ値の差分周期を検出するために，１ＲＴＳ周期を網クロックで数えたモジュロー１６の余りがＲＴＳ値となっているため，４ビットカウンタとの差分を計算すると，ｆｓ  ＝２７０ＭＨｚでは１回目が“９”，２回目が“９”，３回目，４回目と同じ数値で続き，差分が０ｐｐｍの場合，５回目に“１０”となる。図３の構成では，ＲＴＳ値識別部１１０で，ＲＴＳ値が所定値（一定値で，例えば“９”）であることを識別すると，ＲＴＳ値カウンタ１１１をカウントアップし，ＲＴＳ値識別部１１０では，後続して入力するＲＴＳ値が同じ値（“９”）であると，識別する毎にＲＴＳ値カウンタ１１１をカウントアップする。
【００２８】
その後，ＲＴＳ値識別部１１０でその以前のＲＴＳ値より値が増加（変化）したＲＴＳ値を受け取ると，ＲＴＳ値の増加（この例では“１０”になる）を識別する。この識別出力により計数値保持部１１２に対し，その時のＲＴＳ値カウンタ１１１の計数値を設定するよう駆動する。また，計数値保持部１１２に計数値が設定されると共にＲＴＳ値カウンタ１１１はリセットされ，新たなカウントを開始することができる。計数値保持部１１２に設定された計数値は差分周期としてＣＢＲ信号周波数予測部１２に入力される。ＣＢＲ信号周波数予測部１２では，差分周期を表す計数値を用いて，予め各計数値に対するＣＢＲ信号周波数偏差の値を計算により求めたテーブル１２０を参照して，ＣＢＲ信号周波数偏差を求める。
【００２９】
図４はＣＢＲ信号周波数偏差に対するＲＴＳ差分値を計算したテーブルの例である。この例は，ＣＢＲ信号の周波数ｆｓ  ＝２７０ＭＨｚ，網クロックの周波数ｆｎｘ＝３１１．０４ＭＨｚ，４ビットカウント値＝３４５６ビット（１ＲＴＳ周期を１６で割った時に割り切れる数が３４５６ビット）の場合である。図４のＡ．には，偏差（単位ｐｐｍ）の各値０，＋１０，＋２０，…，＋６０，−１０，−２０，…−６０のそれぞれに対し，周波数の偏差Δｆ（Ｈｚ），ｆｓ  （ＭＨｚ），８セル換算ビット数（ＲＴＳ値が発生する周期），４ビットカウント値との差分（“３４５６”に対する差分が，１回目のＲＴＳ値の差分，２回目のＲＴＳ値の差分，……，６回目のＲＴＳ値の差分が登録され，更にＲＴＳ差分値が“９”または“１０”であり，ＲＴＳ値が＋１（１０）になるまでのサイクル（ＲＴＳ値の受信回数）の計算値（小数点を含む）が設定されている。また，図４のＢ．には上記Ａ．のテーブル中の偏差（ｐｐｍ）に対する差分周期（回数）だけを偏差０，±１０，±２０，±３０，±４０，±５０について示している。
【００３０】
図５はＣＢＲ信号周波数偏差（ｐｐｍ）に対応するＲＴＳ差分周期（回数）の例を示す。この例は，上記図４に示すテーブルのデータをグラフ化したものである。
【００３１】
ＣＢＲ信号周波数予測部１２では，上記図４に示すテーブル（または図５に示すグラフ）を用いて，ＣＢＲ値が＋１されるまでのＲＴＳ値の差分周期（回数）に対応するＣＢＲ信号周波数偏差を識別することができる。例えば，周波数偏差が０ｐｐｍの時は差分周期が４．６３であるのに対し，−５０ｐｐｍでは２．５７，＋５０ｐｐｍでは２３．３９と，差分周期に明らかな違いが現れるため，ＣＢＲ信号周波数を予測することが可能となる。
【００３２】
図６は第２の方式の構成を示し，上記図２の実施例の構成におけるＲＴＳ差分周期部１１及びＣＢＲ信号周波数予測部１２の第２の方式である。図中，１１はＲＴＳ差分周期検出部，１１３は差分周期識別部，１１４は差分周期カウンタ，１１５は時間設定部，１１６は計数値保持部，１２はＣＢＲ信号周波数予測部，１２１はテーブルである。
【００３３】
第２の方式では，任意の一定時間に受信される差分周期（ＲＴＳ値が増加する周期）の回数をカウントする。予め一定時間を時間設定部１１５に設定する。
【００３４】
受信ＲＴＳ値が差分周期識別部１１３に入力されるとＲＴＳ値をチェックして差分周期（ＲＴＳ値の増加）を検出すると，差分周期カウンタ１１４をカウントアップする。この差分周期の検出とカウントアップの動作は，時間設定部１１５に設定された時間分だけ続けられ，設定時間に達すると時間設定部１１５により差分周期カウンタ１１４のカウント値が計数値保持部１１６に設定されて保持される。
【００３５】
なお，この場合の差分周期は次の式（１）  により計算することができる。但し，式（１）  中のＹは網クロックでカウントした場合の１ＲＴＳ周期のビット数，ｆｓ  はＣＢＲ信号周波数である。
【００３６】
【数１】
2004253854.tif 000003
【００３７】
この式（１）  を分数のまま約分し，最小となった分母の値をＡ：“ＲＴＳ生成サイクル”とする。また，Ａのサイクルの中で差分周期となる回数をＢ，その以外の回数をＸとすると次式（２），（３）  が成り立つ。
【００３８】
Ｘ＋Ｂ＝Ａ                                                              式（２）
（Ｙの整数部＊Ｘ）＋［（Ｙの整数部＋１）＊Ｂ］＝式（１）  の最小となった分子  式（３）
上記式（２），（３）  の連立方程式からＢの値が求まる。
【００３９】
図７にＣＢＲ信号周波数偏差に対する一定時間の差分周期の回数の例を示す。但し，この例は，網クロックの典型的な周波数ｆｎｘ＝３１１．０４ＭＨｚ，上記式（１）  のＹの整数部が３４６５ビット，任意の一定時間＝１２５ＲＴＳ（ＲＴＳ発生周期の１２５サイクル分），Ｂ＝“最小となった分子−（３４５６＊Ａ），１２５ＲＴＳのＢ＝Ｂ＊１２５／Ａ  である場合の例である。
【００４０】
図８はＣＢＲ信号周波数偏差対一定時間内の差分周期の例のグラフであり，上記図７の計算結果に対応したものである。この例により，周波数偏差０ｐｐｍの時は差分周期が２７回であるのに対して−５０ｐｐｍでは４８．６６回，＋５０ｐｐｍでは５．３４回と，差分周期に違いがはっきりと現れるため，ＣＢＲ信号周波数を予測することが可能となる。
【００４１】
図６に示す第２の方式の構成におけるＣＢＲ信号周波数予測部１２は，上記図７に示す各カウント値に対応したＣＢＲ信号周波数偏差または図７に基づいて作成された図８に示すようなグラフのテーブル１２１を参照して，計数値保持部１１６に保持された計数値からＣＢＲ信号周波数偏差の値を求める。
【００４２】
図２に示す実施例の構成における自走ＲＴＳ値生成部１６は，従来から知られた構成（後述する図９参照）を備えてＡ，Ｂ，Ｃという３つのパラメータにより公称周波数となる自走ＲＴＳ値を生成している。ここで，パラメータＡは自走ＲＴＳ値を生成する周期を表し網クロックの周波数により異なる。パラメータＢはＲＴＳ差分値をプラス１する回数，パラメータＣは基準となるＲＴＳ差分値である。このため，自走作成パラメータ計算部（図２の１３）では，上記図３及び図６に示す各ＣＢＲ信号周波数予測部１２から入力される，周波数偏差情報から３つのパラメータＡ，Ｂ，Ｃを計算して自走ＲＴＳ値生成部へ出力する。
【００４３】
なお，Ａ，Ｂ，Ｃの求め方は，予めこの周波数偏差の時は，この値にするという判定テーブルを作成しておいて，それを参照するようにしても良いし，または上記した式（１）  〜（３）  に示すＹ，Ｘ及びパラメータＡ，ＢからパラメータＡ，Ｂの各数値及び次の式（４）  に示すパラメータＣの式を用いた算術演算により求めることができる。この第２の方式においても，周波数偏差が求まった後は，第１の方式と同様の計算手順によって，Ａ，Ｂを求める。
【００４４】
【数２】
2004253854.tif 000004
【００４５】
次に上記図２に示す実施例において，ＲＴＳ差分周期検出部とＣＢＲ信号周波数予測部を上記図６に示す第２の方式により実行した場合の動作を具体例により説明する。
【００４６】
この具体例では，ＣＢＲ信号周波数のｆｓ  ＝２７０ＭＨｚ，網クロック周波数ｆｎｘ＝３１１．ＭＨｚであるものとする。
【００４７】
上記図２に示す構成によりデセル化によって抽出されたＲＴＳ値をＣＤＶ吸収バッファ１４に書き込むと同時に，ＲＴＳ差分周期検出部１１にも入力する。ＲＴＳ差分周期検出部１１では，例えばＣＰＵ等の外部から設定された監視時間の間に受信されるＲＴＳ値の中から前回ＲＴＳ値との差分が“１０（Ｄ）”となるＲＴＳ数を数える（Ｄは１０進数を表す）。設定時間を１２５ＲＴＳとしてカウントすると，上記図７及び図８のような結果となる。受信ＣＢＲ信号周波数の偏差が−３０ｐｐｍであったと仮定すると，図８より差分周期のカウント数は４０回である。ここで，１２５ＲＴＳを時間に換算すると
１ＲＴＳ  ＝３００８  ｂｉｔ／２７０  ＭＨｚ＝１１．１４１ｕｓによって１２５  ＲＴＳ  ＝１．３９  ｍｓ  である。
【００４８】
ＣＤＶ吸収バッファの容量を３ｍｓとすれば，ＣＤＶ吸収バッファから受信ＲＴＳ値を読み出す前に，自走ＲＴＳ値の公称周波数（０ｐｐｍ）を受信ＣＢＲ信号周波数と近い偏差に変更可能であることが分かる。
【００４９】
上記図２のＣＢＲ信号周波数予測部１２では，予め周波数予測設定がされており，例えば，カウント数が３８回〜４４回の間ならば，ＣＢＲ信号周波数偏差は−３０ｐｐｍと判定する。従って，カウント“４０（Ｄ）”が入力されれば−３０ｐｐｍという判定結果を自走作成パラメータ計算部１３へ出力する。
【００５０】
自走作成パラメータ計算部１３では，−３０ｐｐｍという情報を入力し，以下の計算を順番に行なう。
【００５１】
（１）網クロックで数え１ＲＴＳ間のビット数を求める。
【００５２】
【数３】
2004253854.tif 000005
【００５３】
（２）上記（１）の式の約分において，最小となった分母の値をＡ．“ＲＴＳ生成サイクル”として保持する。上記式よりＡ＝９９９９７
（３）上記（１）の約分において，最小となった分子の値を保持する。
【００５４】
上記式より分子の値＝３４６５２１６００
（４）Ａのサイクルの中て差分周期となる回数Ｂを求める。
【００５５】
Ｂ＝分子の値−Ｙの整数部×Ａ＝３４６５２１６００−３４６５×９９９９７  ＝３１９９５
（５）基準となるＲＴＳ差分値Ｃを求める。
【００５６】
Ｃ＝Ｙ  ｍｏｄ（１６）  ＝３４６５  ｍｏｄ（１６）    ＝９
従って，自走ＲＴＳ値生成ブロックに対して，次の値を出力する。
【００５７】
パラメータＡ＝９９９９７  ，パラメータＢ＝３１９９５  ，パラメータＣ＝９
以上の計算は，ハードウェア回路の構成により行うか，コンピュータのソフトウェアにより計算しても良い。
【００５８】
次に自走ＲＴＳ値生成パラメータを受信した自走ＲＴＳ値生成部（図２の１６）では，それまで生成していた公称周波数（０ｐｐｍ）の自走ＲＴＳ値から急激に新しいパラメータに切り替えないように，差分周期（前回値との差分）が“１０（Ｄ）”まで待ってから，新しいパラメータによる自走ＲＴＳ値の生成に切り替える。
【００５９】
最後に，ＣＤＶ吸収バッファからの読み出しが開始される時，図２の選択部（ＳＥＬ）１７に自走／受信ＲＴＳ切り替え指示信号によって自走ＲＴＳ値生成部１６から受信ＲＴＳ値保持部１５へと切り替えられるが，この時すでに受信ＲＴＳ値保持部１５の自走ＲＴＳ値は，受信ＣＢＲ信号周波数偏差−３０ｐｐｍに合わせた生成が行われているため，受信ＲＴＳ値に切り替えてもＰＬＬ（図２の２２）に出力される位相パルスが一定となり，安定した再生ＣＢＲ信号クロックを供給することができる。
【００６０】
図９は自走ＲＴＳ値生成部の説明図である。図９の（１）  が自走ＲＴＳ値生成部の構成を示し，（２）  は各モードによる自走ＲＴＳ値生成のパラメータを表す。この自走ＲＴＳ値生成部の構成は従来から知られており，図中，５０は１ＲＴＳ毎（８セルに１回，３００８ビット毎）に発生する位相パルスで選択部１（ＳＥＬ１）の出力をラッチするラッチ部，５１はパラメータＢの設定部（Ｂで表示），５２はパラメータＢの設定部５１とラッチ部５０の出力を加算する加算器，５３はパラメータＡの設定部（Ａで表示），５４は加算器５２の出力からパラメータＡ設定部５３の値を減算する減算器，５５は加算器５２の出力と減算器５４の出力から一方を選択する第１選択器（ＳＥＬ１），５６はパラメータＡと加算器５２の出力を比較して，第１選択器５５及び後述する第２選択器６３の選択信号を発生する比較器である。５７は入力する位相パルスにより第２選択器６３の出力をラッチするラッチ部，５８は定数「１」を出力する定数保持部（１で表示），５９はパラメータＣの設定部（Ｃで表示），６０はパラメータＣに「１」を加算する加算器，６１はラッチ部５７の出力と加算器６０の出力を加算する加算器，６２はパラメータＣとラッチ部５７の出力を加算する加算器，６３は加算器６１と加算器６２の出力の一方を選択する第２選択器（ＳＥＬ２）である。
【００６１】
図９の（１）  の構成において，各モード（各ＣＢＲ信号周波数）に対応する自走ＲＴＳ値を生成するためのパラメータＡ，Ｂ，Ｃの具体例を図９の（２）  に示す。ここで，モードＤ１はＣＢＲ信号周波数が２７０ＭＨｚ，モードＤ２はＣＢＲ信号周波数が１４３．１８ＭＨｚ，モードＤ５はＣＢＲ信号周波数が３６０ＭＨｚである。モードＤ１の場合，パラメータＡは１２５（ＲＴＳ）が１周期であることを表し，パラメータＢは，１２５ＲＴＳの内２７回は差分値が“１０”となり，パラメータＣは，１２５ＲＴＳの内９８回（１２５−パラメータＢ（＝２７）＝９８）が差分値が“９”となる。
【００６２】
また，ＲＴＳ生成周期における修正ＲＴＳ値を生成する割合をＢ／Ａとすると，次の関係が成立する。
【００６３】
Ｂ／Ａ  ＋Ｃ＋１６×Ｎ  ＝基準周波数（網クロックの周波数）×３００８／  ＣＢＲ信号周波数
但し，Ａ，Ｂは上記を満たす最小の整数で，ＮはＡ，Ｂ，Ｃが最小となる値である。
【００６４】
ラッチ部５０，５７は１ＲＴＳ毎に発生する位相パルスによりそれぞれ第１選択器５５からの出力，第２選択器６３からの４ビットＲＴＳ値の出力をラッチする。加算器５２はパラメータＢとラッチ部５０で保持する値を加算し，比較器５６で加算器５２の出力とパラメータＡとを比較して，５２の出力がＡ以上の場合に第１選択器５５と第２選択器６３を切り替え（５２−Ａ）の結果を５５に出力し，６１の結果を６３に出力する。加算器６０はパラメータＣと「１」を加算し，加算器６１はパラメータＣ＋１とラッチ部５７の出力である４ビットＲＴＳ値とを加算して第２選択器６３の一方の入力端子へ入力し，加算器６２はパラメータＣとラッチ部５７の出力を加算して第２選択器６３の他方の入力端子へ入力する。これによって，１２５ＲＴＳに２７回は，差分値が１０のＲＴＳ値が生成される。
【００６５】
（付記１）  ＳＲＴＳ方式を用いてソースクロック再生を行うＡＴＭ網における受信側のクロック再生用ＰＬＬ引込み時間短縮方法において，公称周波数で自走している自走ＲＴＳ値から受信ＲＴＳ値に切り替えを行う時，受信ＲＴＳ値がセル遅延ゆらぎ吸収バッファに蓄積されている間に，受信ＲＴＳ値の差分周期のサイクルを検出することにより，再生される固定ビット速度信号周波数を予測し，自走ＲＴＳ値によって生成されている自走の固定ビット速度信号周波数を予測した受信周波数に予め変化させておくことで自走ＲＴＳから受信ＲＴＳ切り替え時の固定ビット速度信号周波数のゆらぎを抑制することを特徴とするＳＲＴＳクロック再生用ＰＬＬ引込み時間短縮方法。
【００６６】
（付記２）  ＳＲＴＳ方式を用いてソースクロック再生を行うＡＴＭ網における受信側のクロック再生用ＰＬＬ引込み時間短縮装置において，ＡＴＭ伝送網の網クロックから生成した自走ＲＴＳ値と，受信ＡＴＭセルから抽出してセル遅延ゆらぎ吸収バッファを介して出力された受信ＲＴＳ値とが入力される選択部と，該選択部で選択されたＲＴＳ値を用いて駆動されるＰＬＬを備え，前記受信ＡＴＭセルのデセル化信号が前記セル遅延ゆらぎ吸収バッファへ入力するのと同時に受信ＲＴＳ値を受け取ってＲＴＳ値が増加（減少）するまでの周期を網クロックを用いて検出するＲＴＳ差分周期検出部と，前記ＲＴＳ差分周期検出部で検出した結果を入力として前記受信ＡＴＭセルの元の固定ビット速度（ＣＢＲ）信号の予測周波数を発生するＣＢＲ信号周波数予測部と，前記ＣＢＲ信号周波数予測部で予測した結果を入力として，予測した固定ビット速度信号周波数発生のためのパラメータを作成する自走作成パラメータ計算部と，前記自走作成パラメータ計算部の出力により固定ビット速度信号周波数を生成して，上記自走ＲＴＳ値を生成する自走ＲＴＳ値生成部とを備えたことを特徴とするＳＲＴＳクロック再生用ＰＬＬ引込み時間短縮装置。
【００６７】
（付記３）  付記２において，前記ＲＴＳ差分周期検出部は，ＲＴＳ値を識別してＲＴＳ値が増加するまでのＲＴＳ値の受信回数を計数し，該計数値をＲＴＳ差分周期として出力するＲＴＳ値カウンタを備え，前記ＣＢＲ信号周波数予測部は，ＲＴＳ値の各計数値に対応した固定ビット速度信号周波数偏差の値を格納したテーブルを備え，前記ＲＴＳ値カウンタからの計数値から対応する固定ビット速度信号周波数偏差を求めることを特徴とするＳＲＴＳクロック再生用ＰＬＬ引込み時間短縮装置。
【００６８】
（付記４）  付記２において，前記ＲＴＳ差分周期検出部は，予め設定した時間内にＲＴＳ値が増加する差分周期の受信回数を計数し，該計数値を差分周期の受信回数として出力する差分周期期として出力する差分周期カウンタを備え，前記ＣＢＲ信号周波数予測部は，設定時間内の差分周期の各計数値に対応した固定ビット速度信号周波数偏差の値を格納したテーブルを備え，前記差分周期カウンタからの計数値から対応する固定ビット速度信号周波数偏差を求めることを特徴とするＳＲＴＳクロック再生用ＰＬＬ引込み時間短縮装置。
【００６９】
（付記５）  付記３または４の何れかにおいて，前記ＣＢＲ信号周波数予測部から発生した固定ビット速度信号周波数偏差値を入力とし，固定ビット速度信号の公称周波数（０  ｐｐｍ）となる自走ＲＴＳ値を生成する自走ＲＴＳ値生成部を駆動するためのパラメータを生成する自走作成パラメータ計算部を備えることを特徴とするＳＲＴＳクロック再生用ＰＬＬ引込み時間短縮装置。
【００７０】
【発明の効果】
本発明によればＣＢＲ信号がＣＤＶ吸収バッファから読み出しを開始する前に，予め再生クロックを公称周波数からＣＢＲ信号周波数に非常に近い偏差の周波数へと切り替えておくことが可能となるため，ＰＬＬの同期引き込みを助け，切り替え直後から即時に安定したＣＢＲ信号を提供することが可能となる。
【図面の簡単な説明】
【図１】本発明の原理構成を示す図である。
【図２】実施例の構成を示す図である。
【図３】第１の方式の構成を示す図である。
【図４】ＣＢＲ信号周波数偏差に対するＲＴＳ差分値を計算したテーブルの例を示す図である。
【図５】ＣＢＲ信号周波数偏差に対応するＲＴＳ差分周期の例を示す図である。
【図６】第２の方式の構成を示す図である。
【図７】ＣＢＲ信号周波数偏差に対する一定時間の差分周期の回数の例を示す図である。
【図８】ＣＢＲ信号周波数偏差対一定時間内の差分周期の例を示す図である。
【図９】自走ＲＴＳ値生成部の構成例を示す図である。
【図１０】ＡＡＬ−１のＡＴＭセルのフォーマットの説明図である。
【図１１】ＲＴＳ情報フォーマットの説明図である。
【図１２】ＲＴＳ情報の生成周期の説明図である。
【図１３】従来のＣＢＲ信号を伝送するＡＴＭ伝送装置を示す図である。
【符号の説明】
１０    デセル化部
１１    ＲＴＳ差分周期検出部
１２    ＣＢＲ信号周波数予測部
１３    自走作成パラメータ計算部
１４    ＣＤＶ吸収バッファ
１５    受信ＲＴＳ値保持部
１６    自走ＲＴＳ値生成部
１７    選択部（ＳＥＬ）
【図１】
2004253854.tif 000006
【図２】
2004253854.tif 000007
【図３】
2004253854.tif 000008
【図４】
2004253854.tif 000009
【図５】
2004253854.tif 000010
【図６】
2004253854.tif 000011
【図７】
2004253854.tif 000012
【図８】
2004253854.tif 000013
【図９】
2004253854.tif 000014
【図１０】
2004253854.tif 000015
【図１１】
2004253854.tif 000016
【図１２】
2004253854.tif 000017
【図１３】
2004253854.tif 000018